(57)【要約】【課題】複数の係合片４の先端部間に係合間隙５が形成されており、外周に雄ねじ９または複数の環状溝を設けられた軸体８を係合間隙５に挿通すると、雄ねじ９のねじ溝または環状溝に係合片４の先端部が係合されるようになっている係合具１および係合構造において、係合具１を軸体８の軸方向の両方の向きに相対的に移動可能で、係合具１を軸体８の軸方向に移動させる際、抵抗力や異音を生じず、部品点数が少なく、構造が簡単で、製造コストが安価な係合具および係合構造を提供する。【解決手段】係合間隙５に連続するフリー移動穴６を設け、軸体８を係合間隙５と前記フリー移動穴６との間を移動可能とする。【選択図】図１３
2011064236.tif 000002
【特許請求の範囲】
【請求項１】
共通の板材に形成された基部および複数の係合片を有し、前記係合片はそれぞれ弾性を有していて、基端側を前記基部に連続されるとともに、先端部を共通の軸心側に突出されており、前記複数の係合片の先端部間に係合間隙が形成されており、外周に雄ねじまたは複数の環状溝を設けられた軸体が前記係合間隙に挿通されると、前記雄ねじのねじ溝または前記環状溝に前記係合片の先端部が係合されるようになっている係合具において、
前記係合間隙に連続して形成されたフリー移動穴を有し、前記軸体を前記係合間隙から前記フリー移動穴へおよびその逆の前記フリー移動穴から前記係合間隙へ移動させることができるようになっており、前記フリー移動穴は前記軸体を軸方向に自由に移動させることができる大きさを有している係合具。
【請求項２】
前記複数の係合片は、当該係合具の軸方向に対し垂直な面に対し一方の側に傾斜して立ち上がっている請求項１記載の係合具。
【請求項３】
外周に雄ねじまたは複数の環状溝を設けられた軸体と、共通の板材に形成された基部および複数の係合片を有し、前記係合片はそれぞれ弾性を有していて、基端側を前記基部に連続されるとともに、先端部を共通の軸心側に突出されており、前記複数の係合片の先端部間に係合間隙が形成されており、前記軸体が前記係合間隙に挿通されると、前記雄ねじのねじ溝または前記環状溝に前記係合片の先端部が係合されるようになっている係合構造において、
前記係合間隙に連続して形成されたフリー移動穴を有し、前記軸体を前記係合間隙から前記フリー移動穴へおよびその逆の前記フリー移動穴から前記係合間隙へ移動させることができるようになっており、前記フリー移動穴は前記軸体を軸方向に自由に移動させることができる大きさを有している係合構造。
【発明の詳細な説明】
【技術分野】
【０００１】
本発明は、係合具および係合構造に係り、特に、先端部を共通の軸心側に突出された複数の係合片を有し、外周に雄ねじまたは複数の環状溝を設けられた軸体を、前記複数の係合片の先端部間に形成された係合間隙に挿通し、前記ねじ溝または前記環状溝に前記係合片の先端部を係合させるようになっている係合具および係合構造に関する。
【背景技術】
【０００２】
通常のねじの螺合構造においては、雄ねじに対し雌ねじを相対的に多数回回転しないと、雄ねじに対して雌ねじを軸方向の所望の位置に移動できないので、締め付け等の作業に時間が掛かるという問題がある。
【０００３】
また、従来より、１つのナットを複数の部分に分割し、これらの分割部分間を開いた状態とすることにより、ナットと雄ねじとの螺合状態を解除できる、「分割ナット」と称されているナットがある。このような分割ナットを用いれば、分割部分間を開いた状態とすることにより、ナットを被螺合状態でねじの軸方向に自由に移動することができるので、上述ような問題を解消できる。
【０００４】
しかしながら、このような分割ナットは、部品点数が多くなり、構造が複雑となって製造コストが高くなるとともに、複数の分割部分を開いて、雄ねじに対して軸方向に自由に移動できるようにする作業、および複数の分割部分を閉じて、雄ねじに螺合可能な一体の状態にロックする作業をそれぞれ迅速に行うことができないという問題があった。
【０００５】
他方、例えば特許文献１に開示されているような、先端部を共通の軸心側に突出された弾性を有する複数の係合片を有し、これらの複数の係合片の先端部間に形成された係合間隙に、外周に雄ねじを設けられた軸体を挿通し、前記雄ねじのねじ溝に係合片の先端部を係合させるようになっている係合具においては、ナット同様の機能を果たさせると同時に、回転させることなく、相対的に軸体の軸方向の一方の向きに係合具を移動することができる。
【先行技術文献】
【特許文献】
【０００６】
【特許文献１】特開平３−３７４０２号公報
【発明の概要】
【発明が解決しようとする課題】
【０００７】
しかしながら、上記種類の係合具においては、回転させることなく、相対的に軸体の軸方向に係合具を移動できる向きは、一方の向きのみであるという問題があった。
【０００８】
また、移動可能な一方の向きに関しても、係合具を回転させることなく相対的に軸体の軸方向に移動させる際には、係合片を変形させて、係合片の先端部にねじ山を次々と乗り越えさせることになるため、抵抗力および異音が発生する。そして、係合片が雄ねじに強固に係合されるように、係合片の材質、寸法、角度、形状等を設定するほど、前記抵抗力および異音は大きくなり、相対的に軸体の軸方向の一方の向きに係合具を円滑に移動させることが困難になって来るという問題があった。
【０００９】
また、係合具を回転させることなく相対的に軸体の軸方向に移動させると、係合片の先端部により雄ねじに施されているメッキ層が破壊されてしまうという問題もあった。
【００１０】
本発明は、このような従来の事情に鑑みてなされたもので、本発明の目的の一つは、回転させることなく、外周に雄ねじや複数の環状溝を設けられた軸体の軸方向の両方の向きに相対的に移動させることができる係合具および係合構造を提供することにある。
【００１１】
本発明の他の目的は、回転させることなく、外周に雄ねじや複数の環状溝を設けられた軸体の軸方向に相対的に移動させる際、抵抗力や異音を生じないようにすることができる係合具および係合構造を提供することにある。
【００１２】
本発明の他の目的は、回転させることなく、外周に雄ねじや複数の環状溝を設けられた軸体の軸方向に相対的に移動させる際、雄ねじに施されているメッキ層が破壊されてしまうことがない係合具および係合構造を提供することにある。
【００１３】
本発明の他の目的は、回転させることなく、外周に雄ねじや複数の環状溝を設けられた軸体の軸方向に相対的に移動させることができ、かつ部品点数が多くならず、構造が簡単で、製造コストを安価にできる係合具および係合構造を提供することにある。
【００１４】
本発明の他の目的は、係合片の先端部が軸体の雄ねじのねじ溝または環状溝に係合している状態と係合具を軸体の軸方向に相対的に自由に移動できる状態とを迅速に切り替えることができる係合具および係合構造を提供することにある。
【００１５】
本発明のさらに他の目的は、以下の説明から明らかになろう。
【課題を解決するための手段】
【００１６】
本発明による係合具は、
共通の板材に形成された基部および複数の係合片を有し、前記係合片はそれぞれ弾性を有していて、基端側を前記基部に連続されるとともに、先端部を共通の軸心側に突出されており、前記複数の係合片の先端部間に係合間隙が形成されており、外周に雄ねじまたは複数の環状溝を設けられた軸体が前記係合間隙に挿通されると、前記ねじ溝または前記環状溝に前記係合片の先端部が係合されるようになっている係合具において、
前記係合間隙に連続して形成されたフリー移動穴を有し、前記軸体を前記係合間隙から前記フリー移動穴へおよびその逆の前記フリー移動穴から前記係合間隙へ移動させることができるようになっており、前記フリー移動穴は前記軸体を軸方向に自由に移動させることができる大きさを有しているものである。
【００１７】
また、本発明による係合構造は、
外周に雄ねじまたは複数の環状溝を設けられた軸体と、共通の板材に形成された基部および複数の係合片を有し、前記係合片はそれぞれ弾性を有していて、基端側を前記基部に連続されるとともに、先端部を共通の軸心側に突出されており、前記複数の係合片の先端部間に係合間隙が形成されており、前記軸体が前記係合間隙に挿通されると、前記ねじ溝または前記環状溝に前記係合片の先端部が係合されるようになっている係合構造において、
前記係合間隙に連続して形成されたフリー移動穴を有し、前記軸体を前記係合間隙から前記フリー移動穴へおよびその逆の前記フリー移動穴から前記係合間隙へ移動させることができるようになっており、前記フリー移動穴は前記軸体を軸方向に自由に移動させることができる大きさを有しているものである。
【００１８】
本発明においては、軸体がフリー移動穴を貫通している状態とすれば、抵抗力や異音を発生させることなく、係合具を軸体に対し相対的に回転させることなしに、軸体に対し軸方向の両方の向きに自由に移動させることができる。
【００１９】
軸体がフリー移動穴を貫通している状態から軸体の雄ねじのねじ溝または環状溝に係合片が係合している状態に遷移させたいときは、軸体をフリー移動穴から係合間隙に移動させればよい。
【００２０】
このようにして、本発明においては、軸体がフリー移動穴を貫通している状態とすることにより、軸体に対し、係合具を相対的に回転させることなく、該軸体の軸方向の両方の向きに相対的に移動させることができる。
【００２１】
また、軸体がフリー移動穴を貫通している状態とすることにより、係合具を相対的に回転させることなく軸体の軸方向に相対的に移動させる際、抵抗力や異音を生じないようにすることができ、また雄ねじに施されているメッキ層が破壊されないようにすることができる。
【００２２】
また、本発明の係合具は一体に成形でき、従来の分割ナットのように部品点数が多くなったり、構造が複雑となることがなく、製造コストを安価にすることができる。
【００２３】
また、係合具の係合片の先端部が軸体の雄ねじのねじ溝または環状溝に係合している状態と係合具を軸体の軸方向に相対的に自由に移動できる状態とを迅速に切り替えることができる。
【発明の効果】
【００２４】
本発明の係合具および係合構造は、
（イ）雄ねじや複数の環状溝を有する軸体に対し、係合具を相対的に回転させることなく、該軸体の軸方向の両方の向きに相対的に移動させることができる、
（ロ）雄ねじや複数の環状溝を有する軸体に対し、係合具を相対的に回転させることなく該軸体の軸方向に相対的に移動させる際、抵抗力や異音を生じないようにすることができる、
（ハ）雄ねじや複数の環状溝を有する軸体に対し、係合具を相対的に回転させることなく該軸体の軸方向に相対的に移動させる際、雄ねじに施されているメッキ層が破壊されないようにすることができる、
（ニ）部品点数が多くならず、構造が簡単で、製造コストを安価にできる、
（ホ）係合具の係合片の先端部が軸体の雄ねじのねじ溝または環状溝に係合している状態と係合具を軸体の軸方向に相対的に自由に移動できる状態とを迅速に切り替えることができる、
等の優れた効果を得られるものである。
【図面の簡単な説明】
【００２５】
【図１】本発明の一実施例における係合具を示す斜視図である。
【図２】前記係合具を図１とは逆の面側から見て示す斜視図である。
【図３】前記係合具を示す正面図である。
【図４】前記係合具を示す平面図である。
【図５】前記係合具を示す側面図である。
【図６】図１のＶＩ−ＶＩ線における断面図である。
【図７】図１のＶＩＩ−ＶＩＩ線における断面図である。
【図８】本発明の実施例１における係合構造を示す縦断面図である。
【図９】図８の係合構造における係合片と雄ねじの軸体との係合部付近を拡大して示す部分拡大縦断面図である。
【図１０】図８の断面とは垂直な面で断面した前記係合構造を示す縦断面図である。
【図１１】前記係合構造において前記係合具を回転させることなく軸方向に移動した状態を示す縦断面図である。
【図１２】前記係合構造において軸体が係合具の係合間隙を貫通している状態を示す側面図である。
【図１３】前記係合構造において軸体が係合具のフリー移動穴を貫通している状態を示す側面図である。
【図１４】前記係合構造において軸体が係合具のフリー移動穴を貫通している状態を示す縦断面図である。
【図１５】本発明の実施例２における係合構造を示す縦断面図である。
【発明を実施するための形態】
【００２６】
以下、本発明を図面に示す実施例に基づいて説明する。
【実施例１】
【００２７】
図１〜１４は本発明の実施例１を示している。このうち図１〜７は本実施例における係合具１を単独で示しており、この係合具１は、ばね鋼、鋼鉄、ステンレス鋼等の適当な弾性を有する共通の１枚の金属板材をプレス成形することにより、以下に説明する基部２、２つの折り曲げ部３および複数の係合片４を一体的に形成されている。
【００２８】
前記係合具１の基部２および折り曲げ部３は、円板の両側を平行に９０度折り曲げた形状となっており、これにより基部２は平面状で平行欠円（両欠円）形状をなし、折り曲げ部３は基部２に対し９０度の角度をなしている。折り曲げ部３は、手で係合具１を掴んで押したり、回したり、工具を嵌合して係合具１を回転したり、回り止めする等の用途に使用できる。
【００２９】
前記複数（本実施例では、具体的には５つ）の係合片４は、軸方向に見ると、基部２の中央部に大略放射状に配置されており、それぞれ基端側を基部２に連続されるとともに、自由端とされた先端部を共通の軸心側に突出されている。また、前記複数の係合片４は、基部２（言い換えれば係合具１の軸方向に対し垂直な面）に対し一方の側に傾斜して立ち上がっている。前記複数の係合片４の先端部間には、係合間隙５が形成されている。
【００３０】
前記複数の係合片４のうちの２つの係合片４の側部間には、フリー移動穴６が形成されている。このフリー移動穴６は係合間隙５に連続しており、後述するボルト７の軸体８（図８〜１４参照）を、係合間隙５とフリー移動穴６との間を移動させることができるようになっている。そして、前記フリー移動穴６は、後述する雄ねじ９の外径より大きく、軸体８をその軸方向に自由に移動させることができるだけの径を有している。
【００３１】
図８〜１４は、前記係合具１を用いた本実施例における係合構造を示している。本実施例においては、軸体８はボルト７の軸部である。この軸体８の外周には、雄ねじ９が設けられている。前記軸体８は、被締結体１０，１１に設けられた挿通穴１２，１３に挿通されている。
【００３２】
次に、この係合具１の優れた機能がより容易に理解されるようにするため、敢えて、この係合具１を前記従来の係合具１と同様に使用する場合を最初に説明する。
【００３３】
まず、フリー移動穴６を介することなく、図８および１２に示されるように、係合具１の係合間隙５に相対的に軸体８をその先端部を先頭にして押し込む。なお、この場合、軸体８に対する係合具１の向きは、軸体８が係合具１の基部２側から係合片４の先端部側に向かって進むことになる向き（係合片４が基部２から立ち上がる向き）とする。
【００３４】
すると、係合片４が弾性曲げ変形することにより、係合片４の先端部が軸体８のねじ山を乗り越えて行く。そして、軸体８の押し込みを止めると、その位置において、図８〜１０に示されるように、各係合片４の先端部が軸体８の雄ねじ９のねじ溝に係合するので、軸体８を係合具１に対して回転させることなく、係合具１を軸体８の所望の位置に係合することができる。ここで、図９は図８における係合片４と雄ねじ９の軸体８との係合部付近を拡大して示す部分拡大縦断面図、図１０は図８と同一の状態を、図８の断面とは垂直をなす断面において示したものある。なお、上述のように、係合具１に対して軸体８をその軸方向に相対的に移動させる際には、係合具１の方を動かしても、軸体８の方を動かしても、両方を動かしてもよい（後述する場合の、係合具１に対して軸体８をその軸方向に相対的に移動させる際も同様である）。
【００３５】
そして、図８〜１０の位置からさらに係合具１を回転させることなく相対的に軸体８の軸方向に移動し、被締結体１１に係合具１の基部２を接すれば、図１１のようにボルト７の頭部１４と係合具１との間に被締結体１０，１１を挟んで締結することができる。
【００３６】
なお、この係合具は１、ボルト７ひいては雄ねじ９に対して該係合具１を相対的に回転すれば、係合片４の先端部が雌ねじのねじ山として働き、該先端部が軸体８の雄ねじ９のねじ溝に沿って相対的に螺旋状に移動するので、ナット同様の機能を果たす。したがって、必要な場合には、ボルト７に対して係合具１を相対的に回転すれば、軸体８に対し係合具１を相対的に軸方向に移動し、被締結体１１をより強く締め付けたり、係合具１の位置を所望の位置に精密に調整したりすることができる。
【００３７】
また、係合具１から軸体８を引き抜こうとする方向に力が作用しても、係合片４が軸体８に対し垂直な面に対し斜めに傾斜されているため、係合片４の先端部が軸体８に一層強く当接されることになり、軸体８は抜けない（なお、仮に係合具１が、軸体８の押し込み前は係合片４が軸体８に対し垂直な面に対し斜めに傾斜されていない構造となっていても、係合間隙５の径が軸体８の谷径より小さく、軸体８を押し込んだ状態では係合片４が軸体８の押し込み方向に傾斜されるようになっていれば、係合具１から軸体８を引き抜こうとする方向に力が作用しても、やはり軸体８は抜けない）。
【００３８】
さて、上述のように、この係合具１は、前記従来の係合具１と同様に、最初から軸体８を係合具１の係合間隙５に押し込んだり、軸体８が係合間隙５に挿通されている状態で係合具１に対して軸体８をその軸方向に相対的に移動させることができるが、「発明が解決しようとする課題」の項で述べたように、このようにすると、抵抗力が発生するので、該抵抗力に抗して作業を行わなければならないとともに異音も発生し、かつ相対的に軸体８の軸方向に係合具１を移動させる向きは一方の向きのみに限られてしまう。
【００３９】
しかるに、この係合具１では、次のようにしてそのような不都合を避けることができる。まず、図１３および１４に示されるように、軸体８をフリー移動穴６に挿入し、この状態で軸体８をその軸方向に相対的に移動させる。これにより、抵抗力や異音を発生させることなく、また雄ねじに施されているメッキ層を破壊することなく、軸体８を係合具１に挿入し、軸体８に対し係合具１を相対的に回転させることなく、軸体８に対し係合具１を相対的に軸体８の軸方向の両方の向きに自由に移動させることができる。
【００４０】
軸体８をフリー移動穴６に挿通している状態（図１３，１４の状態）から雄ねじ９のねじ溝と係合片４の先端部が係合している状態に遷移させたいときは、フリー移動穴６の両側の係合片４の弾性に抗して、係合具１を軸体８に対し相対的に径方向に移動させることにより、図１２のように軸体８をフリー移動穴６から係合間隙５に移動させればよい。したがって、例えば、軸体８をフリー移動穴６に挿通している状態で係合具１を軸体８に対して軸方向に相対的に移動して、係合具１の基部２を被締結体１１に接した後、軸体８をフリー移動穴６から係合間隙５に移動させれば、図１１のようにボルト７の頭部１４と係合具１との間に被締結体１０，１１を挟んで締結することができる。この場合も必要なら、その後、ボルト７に対して係合具１を相対的に回転すれば、係合片４の先端部が雌ねじのねじ山の機能を果たし、該先端部が軸体８の雄ねじ９のねじ溝に沿って相対的に螺旋状に移動するので、軸体８に対し係合具１を相対的に軸方向に移動し、被締結体１１をより強く締め付けたり、係合具１の位置を所望の位置に精密に調整したりすることができる。
【００４１】
逆に、雄ねじ９のねじ溝と係合片４の先端部が係合している状態（図８〜１２の状態）から係合具１を軸体８に対しフリーに移動できる状態にに遷移させたいときは、係合片４の弾性に抗して係合具１を軸体８に対し相対的に径方向に移動させることにより、軸体８を係合間隙５から図１３，１４のようにフリー移動穴６に移動させればよい。
【００４２】
なお、意図しないときに、軸体８が係合間隙５からフリー移動穴６へ、またはその逆に移動してしまうことはない。係合片４の弾性があるからである。
【００４３】
この係合具１は、一体に成形でき、従来の分割ナットのように部品点数が多くなったり、構造が複雑となることがなく、製造コストを安価にすることができる。また、係合片４の先端部が軸体８の雄ねじ９のねじ溝に係合している状態と係合具１を軸体８の軸方向に相対的に自由に移動できる状態とを前述のようにして迅速に切り替えることができる。
【実施例２】
【００４４】
図１５は、本発明による係合構造の他の実施例を示す。本実施例においては、軸体８の外周に雄ねじ９ではなく、多数の環状溝１５が設けられている。係合具１は前記実施例１の場合と同一のものである。
【００４５】
本実施例においては、実施例１における雄ねじ９のねじ溝の代わりに環状溝１５に係合片４の先端部が係合されることにより、実施例１の場合と同様の作用効果を得ることができる。ただし、各環状溝１５は雄ねじ９のねじ溝のように螺旋状ではなく、他の環状溝１５に連続していないので、軸体８が係合間隙５に挿通されている状態で、係合具１を軸体８に対し相対的に回転しても、係合片４の先端部は同一の環状溝１５に係合され続けるので、係合具１は軸方向に関しては軸体８の同一位置上に位置し続ける。
【００４６】
なお、前記各実施例では、自由な状態では係合片４が真直ぐに延びているが、本発明においては係合片を適当に湾曲させたり、屈曲させてもよい。
【００４７】
また、本発明においては、係合片の数は実施例の数に限られることはない。
【００４８】
また、本発明においては、係合具の全体形状は実施例のような形状に限られることはない。
【００４９】
また、前記各実施例においては、係合具が１つの部材のみからなっているが、本発明においては、基部および係合片を一体的に有する部材と他の部材とを組み合わせたものにより係合具を構成してもよい。。
【００５０】
また、前記各実施例においては、係合具１を金属から構成しているが、係合具の材料として金属以外の合成樹脂等の他の材料を用いることも可能である。
【００５１】
また、前記各実施例では、ボルト７の軸部を軸体８としているが、本発明における軸体は、雄ねじまたは環状溝を設けられていればよく、ボルトの軸部でなくてもよい。
【００５２】
また、前記各実施例では、被締結材を締結しているが、本発明の係合具および係合構造は、締結以外の用途にも用いることができるものである。
【産業上の利用可能性】
【００５３】
以上のように本発明による係合具および係合構造は、先端部を共通の軸心側に突出された複数の係合片を有し、外周に雄ねじまたは複数の環状溝を設けられた軸体を、前記複数の係合片の先端部間に形成された係合間隙に挿通し、前記ねじ溝または前記環状溝に前記係合片の先端部を係合させるようになっている係合具および係合構造として有用である。
【符号の説明】
【００５４】
１    係合具
２    基部
４    係合片
５    係合間隙
６    フリー移動穴
７    ボルト
８    軸体（軸部）
９    雄ねじ
１５    環状溝
【図１】
2011064236.tif 000003
【図２】
2011064236.tif 000004
【図３】
2011064236.tif 000005
【図４】
2011064236.tif 000006
【図５】
2011064236.tif 000007
【図６】
2011064236.tif 000008
【図７】
2011064236.tif 000009
【図８】
2011064236.tif 000010
【図９】
2011064236.tif 000011
【図１０】
2011064236.tif 000012
【図１１】
2011064236.tif 000013
【図１２】
2011064236.tif 000014
【図１３】
2011064236.tif 000015
【図１４】
2011064236.tif 000016
【図１５】
2011064236.tif 000017